(57)【要約】      （修正有）【課題】不使用時には小袋体内に傘袋体を収容し、使用時には小袋体側を傘袋体内に納めておけるように一体化することで仕舞い勝手を改善したり、傘袋体使用中の小袋体の紛失を確実になくすことができる携帯用傘カバーを提供する。【解決手段】先端１２ａ側に備える差込み口１３からの傘の差し込み収納が自在な傘袋体１２と、一端２２ａ側に設けた開口部２３を介して傘袋体１２が収納される小袋体２２とで構成され、これら傘袋体１２と小袋体２２とは、裏地が表面側となるように裏返された小袋体２２を差込み口１３を閉止することなく傘袋体１２の長さ方向と略直交する方向を幅方向として差込み口１３近傍の内側面１７側に他端２２ｂ側を取着して傘袋体１２と一体化させることで、表地が表面側となるように反転させつつ小袋体２２内に開口部２３を介して傘袋体１２の引き込み収納を自在とした。【選択図】図２
0003217445.tif 000002
【実用新案登録請求の範囲】
【請求項１】
長さ方向での先端側に備える差込み口から後端方向へと閉じた傘の差し込み収納が自在な傘袋体と、一端側に設けた開閉自在な開口部を介しての前記傘袋体の収納が自在な小袋体とで構成され、
これら傘袋体と小袋体とは、裏地が表面側となるように裏返された前記小袋体を前記差込み口を閉止することなく前記傘袋体の長さ方向と略直交する方向を幅方向として前記差込み口近傍の内側面側に他端側を取着して前記傘袋体と一体化させることで、表地が表面側となるように反転させつつ前記小袋体内に前記開口部を介して前記傘袋体の引き込み収納を自在としたことを特徴とする携帯用傘カバー。
【請求項２】
小袋体の前記開口部は、該開口部回りに配設した括り紐を介して開閉自在とした請求項１に記載の携帯用傘カバー。
【請求項３】
小袋体の前記開口部は、該開口部を覆う蓋部を介して開閉自在とした請求項１に記載の携帯用傘カバー。
【請求項４】
傘袋体の前記差し込み口の近傍位置には、前記傘袋体の長さ方向に略直交させて適宜長さの傘止め紐を取着した請求項１ないし３のいずれかに記載の携帯用傘カバー。
【請求項５】
前記傘袋体は、その外側面を訴求力のあるメッセージ表示面とした請求項１ないし４のいずれかに記載の携帯用傘カバー。
【考案の詳細な説明】
【技術分野】
【０００１】
本考案は、傘袋体と小袋体とを一体化することで不使用時や傘が濡れていないときは小袋体内に傘袋体を引き込み収納して携行でき、濡れた傘を店舗内や車内に持ち込む際に小袋体内から傘袋体を単に引き出すことで濡れ傘を入れておくことができる携帯用傘カバーに関する技術である。
【背景技術】
【０００２】
降雨時に使用した傘は、出入り口に用意されているビニール袋に入れてスーパーマーケットなどの店舗内に持ち込むことで床面を濡らさないようにしたり、傘カバーに入れてから混み合う電車等の乗り物に乗り込むようにして他人に雨滴を付着させないようにするのがマナーに適った振る舞いとされている。
【０００３】
この場合、店舗の出入り口に用意されるビニール袋については、例えば特許文献１に示される「傘の袋収納装置」の装置本体に予め多数枚装填しておき、客が傘をビニール袋に差し込んで取り出した上で、ビニール袋入りの傘として店舗内に持ち込むことができるようになっている。
【０００４】
また、降雨で濡れた傘を持って混み合う電車等の乗り物に乗り込む際などのように人で混み合う場所に濡れ傘を持ち込む際には、例えば特許文献２に示される「傘袋」に濡れ傘を収納して肩に掛けておくことで、他人に濡れ傘を接触させて不快な思いをさせるというようなことをなくすようにしたものもある。
【０００５】
しかし、特許文献１の「傘の袋収納装置」を用いる場合は、多数枚のビニール袋を装填しておく装置本体におけるビニール袋供給機構が複雑であることから設置コストが嵩むばかりでなく、使用後のビニール袋は全て無駄に使い捨てられてしまい省資源という時代の要請に逆行する不都合があった。
【０００６】
また、特許文献２の「傘袋」を用いる場合は、降雨時に傘を差して外出する際に空の傘袋を肩に掛けておき、店舗内に入る際や人で混み合う乗り物に乗る際などには閉じた傘を傘袋内に入れて肩に掛けて持ち運ばなければならないため、携行性に難があるばかりでなく、荷物が増えて円滑な移動に支障を来す不具合があった。
【０００７】
このため、本願考案者は、従来技術の上記した不都合を解消すべく、傘の柄に取り付けて持ち運べるスマートな携帯性と、必要な時に取り出して使い捨てることなく繰り返し使用できる省資源性とを兼ね備える「傘の柄への巻き付けが自在な収納用小袋付き傘カバー」を提案している（特許文献３参照）。
【先行技術文献】
【特許文献】
【０００８】
【特許文献１】特開平７−１５６９２５号公報
【特許文献２】特開平９−１５４６１２号公報
【特許文献３】実用新案登録第３２１３７５５号公報
【考案の概要】
【考案が解決しようとする課題】
【０００９】
特許文献３の「傘の柄への巻き付けが自在な収納用小袋付き傘カバー」によれば、スマートな携帯性や繰り返し使用できる省資源性を発揮させることはできるものの、収納用小袋と傘カバーとが別体となっていることから、使用する際に傘カバーを収納用小袋から取り出した後に該収納用小袋を傘の柄に巻き付けるなどの後処理が必要になる煩雑性があるほか、傘カバー使用中に収納用小袋体を誤って紛失してしまったりする不都合があった。
【００１０】
本考案は、上記各特許文献を含む従来技術にみられた上記課題に鑑み、傘袋体の不使用時には小袋体内に傘袋体を収容し、使用時には小袋体側を傘袋体内に納めておくことができるように傘袋体とこれを収納する小袋体とを一体化してその取り扱いを楽にすることで仕舞い勝手を改善したり、傘袋体使用中の小袋体の紛失を確実に防ぐことができる携帯用傘カバーを提供することをその目的とする。
【課題を解決するための手段】
【００１１】
本考案は、上記目的を達成すべくなされたものであり、長さ方向での先端側に備える差込み口から後端方向へと閉じた傘の差し込み収納が自在な傘袋体と、一端側に設けた開閉自在な開口部を介しての前記傘袋体の収納が自在な小袋体とで構成され、これら傘袋体と小袋体とは、裏地が表面側となるように裏返された前記小袋体を前記差込み口を閉止することなく前記傘袋体の長さ方向と略直交する方向を幅方向として前記差込み口近傍の内側面側に他端側を取着して前記傘袋体と一体化させることで、表地が表面側となるように反転させつつ前記小袋体内に前記開口部を介して前記傘袋体の引き込み収納を自在としたことを最も主要な特徴とする。
【００１２】
この場合、小袋体の前記開口部は、該開口部回りに配設した括り紐を介して開閉自在としたり、前記開口部を覆う蓋部を介して開閉自在とすることができる。
【００１３】
また、傘袋体の前記差し込み口の近傍位置には、前記傘袋体の長さ方向に略直交させて適宜長さの傘止め紐を取着しておくのが望ましい。
【００１４】
さらに、前記傘カバーは、その外側面側を訴求力のあるメッセージ表示面として活用できるように形成することもできる。
【考案の効果】
【００１５】
請求項１の考案によれば、傘袋体と小袋体とは、傘袋体側の不使用時には小袋体内に傘袋体を収容し、使用時には小袋体側を傘袋体内に納めておくことができるように一体化されているので、使い捨てることなく繰り返し使用できるほか、その取り扱いを楽にすることで仕舞い勝手を改善したり、傘袋体使用中の小袋体の紛失を確実に防ぐこともできる。
【００１６】
また、小袋体は、一端側に開口部を有して裏地が表面側となるように裏返された状態で傘袋体の差込み口近傍の内側面側に他端側を取着して傘袋体と一体化させてあるので、傘袋体を使用しないときは、その表地が表面側となるように反転させながら小袋体内に開口部を介して傘袋体を引き込み収納することでコンパクトで軽量な小袋体状の傘カバーとして簡単かつ容易に何処へでも持ち運ぶことができる。しかも、傘袋体を引き込み収納した際の小袋体は、その表面側に目地の滑らかな表地が自然に現れることになるので、それだけ気持ち良く持ち運ぶことができる。さらに、濡れた傘を傘袋体内に収納する際には、裏地が表面側となった小袋体も濡れた傘と接触しながら傘袋体内に納められる結果、使用を終えて小袋体内に傘袋体を引き込み収納した際には、濡れていない小袋体の表地を表面側に位置させて安心して携行することができる。
【００１７】
請求項２の考案によれば、小袋体の開口部は、該開口部回りに配設した括り紐を介して開閉自在に形成されているので、該括り紐を緩めて傘袋体側を開口部を介して引き込み収納した後、再び括り紐を締め付けることで傘袋体を確実に収納しておくことができる。
【００１８】
請求項３の考案によれば、小袋体の開口部は、該開口部を覆う蓋部を介して開閉自在に形成されているので、蓋部を開状態として傘袋体側を開口部を介して引き込み収納した後、蓋部を再び閉状態とすることで傘袋体を確実に収納しておくことができる。
【００１９】
請求項４の考案によれば、傘袋体の差し込み口の近傍位置には、傘袋体の長さ方向に略直交させて適宜長さの傘止め紐が取着されているので、濡れ傘を入れた傘袋体使用時に傘止め紐を周回止着することで、傘から傘袋体が抜け落ちることなく一体化させることができる。
【００２０】
請求項５の考案によれば、傘袋体の外側面を訴求力のあるメッセージ表示面として活用することができるので、広告主が会社名や商品名を入れて提供する贈呈用広告媒体（ノベルティー）としての利用のほか、所望に応じたメッセージ表現媒体として利用することができる。
【図面の簡単な説明】
【００２１】
【図１】小袋体を傘袋体側から引き出した状態での本考案の一例を示す一部を省略した正面側説明図。
【図２】小袋体を傘袋体側から引き出した状態での本考案の一例を示す一部を省略した背面側説明図。
【図３】小袋体内に傘袋体を引き込み収納した際の本考案の一例を示す状態説明図。
【図４】小袋体内に傘袋体を引き込み収納する途中または小袋体内から傘袋体を引き出す途中における本考案の一例を示す状態説明図。
【図５】傘袋体内に小袋体側を位置させて閉状態の傘を傘袋体内に収容した際の本考案の一例を示す使用状態説明図。本考案を構成する収納用小袋を介して径の太い傘の柄を挿通支持させた状態を示す要部説明図。
【図６】図１に対応させて本考案を他例を示す説明図。
【考案を実施するための形態】
【００２２】
図１および図２によれば、携帯用傘カバー１１の全体は、長さ方向での先端１２ａ側に備える差込み口１３から後端１２ｂ方向へと図５に示すように閉じた傘４１の差し込み収納が自在な傘袋体１２と、一端２２ａ側に設けた開閉自在な開口部２３を介しての傘袋体１２の収納が自在な小袋体２２とで構成されている。
【００２３】
この場合、防水加工を施して防水性を付与するなど、適宜の撥水性を備えたナイロン素材からなる傘袋体１２は、閉じた傘４１の柄４２を除く部位を図５に示すようにして収容することができる適宜の幅と長さ、例えば図１に示す正面側説明図のように平坦に配置した際の幅が９．５ｃｍ前後で、長さが７４ｃｍ前後の袋状に形成されている。
【００２４】
また、傘袋体１２の差込み口１３近傍には、図１および図２に示されているように傘袋体１２のの長さ方向と直交する方向を長さ方向とする位置関係のもとで適宜幅と長さ、例えば幅１．５ｃｍ前後で長さが１８ｃｍ前後の傘止め紐１４が縫着するなどして取着されいる。該傘止め紐１４は、開口部１３近傍側に位置する一側面１４ａに一方の面ファスナー片１５が、他側面１４ｂの後端１２ｂ近傍に他方の面ファスナー片１６がそれぞれ固着されて相互の着脱が自在となっている。
【００２５】
さらに、傘袋体１２の外側面１８は、広告主が会社名や商品名を入れて提供する贈呈用広告媒体（ノベルティー）として、あるいはその他の所望に応じた表現等を表示するための表現媒体として利用することができるように訴求力のあるメッセージ表示面１９として用いるべく無地にして形成するのが好ましいが、単に適宜の色彩と模様とを付与して形成するものであってもよい。なお、図中の引き出し符号３３は、抓み片を示す。
【００２６】
一方、同様に防水加工を施して防水性を付与するなど適宜の撥水性を備えた例えば８ｃｍ×１０ｃｍ程度の略方形面サイズのナイロン素材からなる小袋体２２は、その一端２２ａ側に開閉自在な開口部２３が設けられており、該開口部２３を介しての傘袋体１２の収納が自在に形成されている。
【００２７】
この場合、小袋体２２の開口部２３は、図１〜図４に示すように開口部２３回りに配設した括り紐２４を介して開閉自在としたり、図６に示すように開口部２３を覆う蓋部２５を介して開閉自在とすることができる。
【００２８】
すなわち、図１〜図４に示すような括り紐２４による場合は、開口部２３近傍の周囲を縫い合わせて確保される空間部２５内に括り紐２４を周回させ、その一部に設けた切り欠き部２３ａから一端２４ａと他端２４ｂとを引き出し、弾発ストッパー２６の弾発力に抗して操作部２７を押圧しながら通孔２６ａを確保してこれを挿通させた後に押圧力を解消することで、開閉の程度に応じた長さ調節が可能となって小袋体２２の開口部２３近傍に配置されることになる。
【００２９】
また、図６に示すような蓋部２８による場合は、小袋体２２の開口部２３近傍の表側に２個の嵌合突起（図示せず）が位置するように縦列配置した一方のスナップ２９と、蓋部２８の裏側に図示しない嵌合突起と嵌合する受け部（図示せず）を配置した他方のスナップ３０とを配置することで、開口部２３の開閉が自在となっている。
【００３０】
このような構成からなる傘袋体１２と小袋体２２とは、裏地３２が表面側となるように裏返された小袋体２２を、差込み口１３を閉止することなく傘袋体１２の長さ方向と略直交する方向を幅方向として差込み口１３近傍の内側面１７側に他端２４ｂ側を取着して傘袋体１２と一体化されている。
【００３１】
すなわち、小袋体２２は、傘袋体１２の内周の略１／２長さで差込み口１３の近傍の周回り位置にその他端２２ｂ側を縫い付けたり接着するなどして取着することで、差込み口１３を閉止することなく傘袋体１２と一体化されている。なお、差込み口１３の近傍の周回り位置へ小袋体２２の他端２２ｂ側の取着は、所望に応じて傘袋体１２の内周の略１／２以下の長さであってもよい。
【００３２】
つまり、傘袋体１２は、小袋体２２の表地３１が表面側となるように反転させつつ小袋体２２の開口部２３を介して図４に示すように引き込み収納しながら図３に示すように小袋体２２内に完全に収納できることになる。
【００３３】
次に、上記構成からなる携帯用傘カバー１１の使用手順についてその作用・効果とともに説明する。すなわち、不使用時における傘カバー１１は、図３に示すように傘袋体１２を小袋体２２内に収納した上で、括り紐２４側を引っ張ることにより巾着のように括ってコンパクト化した状態のもとで軽便に持ち運ぶことができる。つまり、傘カバー１１は、その表地３１が表面側となるように反転させながら小袋体２２内に開口部２３を介して傘袋体１２を引き込み収納することでコンパクトで軽量な小袋体２２サイズのもとで簡単かつ容易に何処へでも持ち運ぶことができる。しかも、傘袋体１２を引き込み収納した際の小袋体２２は、その表面側に目地の滑らかな表地３１が自然に現れることになるので、それだけ気持ち良く持ち運ぶことができる。
【００３４】
携帯用傘カバー１１の使用時には、図３に示すように括り紐２４を緩めて開口部２３を広くした上で、図４に示すように傘袋体１２を小袋体２２内から引き出すことにより、図１および図２に示す状態とすることができる。つまり、小袋体２２内から傘袋体１２の全てが引き出された際には、小袋体２２の他端２２ｂ側が傘袋体１２の差込み口１３共々引っ張られるようにして小袋体２２側が裏返された状態とすることができる。
【００３５】
このような状態とした後は、例えば図５に示されている濡れている傘４１が小袋体２２とともに傘袋体１２内に収納される。このとき、小袋体２２は、裏地３２が表面側に位置した状態で傘袋体２１２内に押し込めることができる結果、傘４１と接触しても表地３１側が濡れることはない。そして、傘４１自体は、傘袋体１２が備える傘止め紐１４を柄４２近傍位置にて周回止着することで図５に示す状態として電車内や店舗内に持ち込むことができる。
【００３６】
図５に示す状態での使用を終えた後は、図４に示すように小袋体２２の開口部２３を介して傘袋体１２を小袋体２２内に引き込み収納することで、小袋体２２自体を濡れた傘４１と接触していない表地３１が図３に示すように表面側となるように反転させることができる。したがって、傘袋体１２を引き込み収納して開口部２３を閉止した小袋体２２は、濡れていない表地３１が表面側に位置することになり、安心して携行することができる。
【００３７】
本考案において小袋体２２の開口部２３が図１〜図４に示すように該開口部２３回りに配設した括り紐２４を介して開閉自在に形成されている場合には、操作部２７を押圧しながら弾発ストッパー２６の押圧力を弱くして括り紐２４を緩めて開口部２３を広く確保した上で傘袋体１２側を引き込み収納した後、再び括り紐２４を締め付けて巾着状態にすることで傘袋体１２が傘４１から抜け落ちることなく一体化させた状態のもとで確実に収納しておくことができる。
【００３８】
また、本考案において小袋体２２の開口部２３が図６に示すように該開口部２３を覆う蓋部２８を介して開閉自在に形成されている場合には、蓋部２８を開状態として傘袋体１２側を開口部２３を介して引き込み収納した後、蓋部２８を再び閉状態、つまり一方のスナップ２９と他方のスナップ３０とを嵌合させることで傘袋体１２を確実に収納しておくことができる。
【００３９】
さらに本考案において傘袋体１２の外側面１８を訴求力のあるメッセージ表示面１９として活用できる場合は、広告主が会社名や商品名を入れて提供する贈呈用広告媒体（ノベルティー）としての利用のほか、所望に応じたメッセージ表現媒体として利用することができる。
【００４０】
以上は、本考案を図示例に基づいて説明したものであり、その具体的な内容はこれ限定されるものではない。例えば、傘袋体１２は、傘止め紐１４を備えないものであってもよい。また、傘が折り畳み傘である場合は、傘袋体１２を例えば１／２長さに折り畳むなどして使用することもできる。さらに、小袋体２２は、その開口部２３を確実に開閉できるものであれば、例えば弾発ストッパー２６を備えることなく、単に結ぶだけの括り紐だけであってもよい。
【符号の説明】
【００４１】
１１  携帯用傘カバー
１２  傘袋体
１２ａ  先端
１２ｂ  後端
１３  差込み口
１４  傘止め紐
１４ａ  一側面
１４ｂ  他側面
１５  一方の面ファスナー片
１６  他方の面ファスナー片
１７  内側面
１８  外側面
１９  メッセージ表示面
２２  小袋体
２２ａ  一端
２２ｂ  他端
２３  開口部
２３ａ  切り込み部
２４  括り紐
２４ａ  一端
２４ｂ  他端
２５  空間部
２６  弾発ストッパー
２６ａ  通孔
２７  操作部
２８  蓋部
２９  一方のスナップ
３０  他方のスナップ
３１  表地
３２  裏地
３３  抓み片
４１  傘
４２  柄
【図１】
0003217445.tif 000003
【図２】
0003217445.tif 000004
【図３】
0003217445.tif 000005
【図４】
0003217445.tif 000006
【図５】
0003217445.tif 000007
【図６】
0003217445.tif 000008